(57)【要約】【課題】修理業務を受け付けた場合に修理対象の機器を特定することで、修理依頼を受け付けた機器毎の修理に必要な部品調達や、修理業務履歴を迅速に把握する。【解決手段】顧客が所持する通信端末装置と、提携店に設置され、顧客からの修理依頼を受け付ける受付部、及び受け付けた修理依頼を担当する業務遂行担当者を割り振るための業務分担部、を備えた顧客対応端末装置と、管理制御装置との間で連携されるシステムであって、顧客対応端末装置は、通信端末装置から修理依頼を受け付けると、業務遂行担当者割り振り管理制御装置にアクセスすることで、業務遂行担当者の割り振り条件を取得する。業務遂行担当者の割り振り条件に基づいて、提携店の業務分担部では、的確な業務遂行担当者を迅速に決定し、現場へ向かわせることができる。【選択図】図１
2020190804.tif 000002
【特許請求の範囲】
【請求項１】
業務遂行を依頼する顧客が特定され、当該顧客が依頼する業務を遂行する業務遂行担当者を指定して、割り振るための業務遂行担当者割り振り管理制御装置であって、
業務を遂行する管轄領域を示す位置情報、機器を特定する機器特定情報、及び物件を特定する物件特定情報の少なくとも１つの情報と、業務遂行担当者を示す担当者情報を対応させて格納したデータベースにアクセスすることで業務遂行担当者を選出する選出部と、
前記選出部で選出した業務遂行担当者の中から、選択条件に基づいて、業務遂行担当者を確定する確定部と、
前記確定部により確定したことを、前記業務遂行担当者へ通知する通知部と、
を有する業務遂行担当者割り振り管理制御装置。
【請求項２】
前記データベースは、業務を遂行する管轄領域の位置情報と業務遂行担当者とを対応させて格納した第１データベース、機器を特定する機器特定情報と業務遂行担当者とを対応させて格納した第２データベース、及び、物件を特定する物件特定情報と業務遂行担当者とを対応させて格納した第３データベース、の少なくとも１つのデータベースを含むことを特徴とする請求項１記載の業務遂行担当者割り振り管理制御装置。
【請求項３】
前記第１データベースの位置情報が、業務遂行現場の住所であり、前記確定部は、当該住所を管轄領域する業務遂行担当者を選出し、確定候補とすることを特徴とする請求項２記載の業務遂行担当者割り振り管理制御装置。
【請求項４】
前記第１データベースの位置情報が、業務遂行現場の住所であり、前記確定部は、当該位置情報から所定の範囲内の業務遂行現場で、現在業務を遂行している業務遂行担当者を選出し、確定候補とすることを特徴とする請求項２記載の業務遂行担当者割り振り管理制御装置。
【請求項５】
前記第２データベースの機器特定情報として登録されている機器情報は、ガス温水システムを含み、専門の技術を必要とする機器識別情報であり、機器識別情報毎に定めた業務遂行担当者を選出し、確定候補とすることを特徴とする請求項２〜請求項４の何れか１項記載の業務遂行担当者割り振り管理制御装置。
【請求項６】
前記第３データベースの物件特定情報が、エリア毎に区画された管轄領域から逸脱して特別に契約された住宅識別情報であり、住宅識別情報毎に定められた業務遂行担当者を選出し、確定候補とすることを特徴とする請求項２〜請求項５の何れか１項記載の業務遂行担当者割り振り管理制御装置。
【請求項７】
コンピュータを、
請求項１〜請求項６の何れか１項の業務遂行担当者割り振り管理制御装置の選出部、確定部、及び通知部として動作させる、
業務遂行担当者割り振り管理制御プログラム。
【発明の詳細な説明】
【技術分野】
【０００１】
本発明は、特に、顧客から受け付けた業務依頼を迅速かつ的確に実行するための業務分担システムにおける業務遂行担当者割り振り管理制御装置、業務遂行担当者割り振り管理制御プログラムに関するものである。
【背景技術】
【０００２】
主としてガスを消費する設備に用いられる関連機器（以下、単に機器という）の修理業務は、顧客からの申し出（修理依頼）により発生する。
【０００３】
例えば、カスタマサービスセンターで修理受付を行い、修理希望予定日を調整し、修理業務が登録されることで、ガスを管理する事業者（製造及び輸入を行う事業者、販売を行う事業者、並びに協力企業である関連事業者を含む）から作業員を派遣して、機器の修理を行う。
【０００４】
特許文献１には、検針対象となる新規な顧客のガスメーターの検針員を決定する検針員割当システム等を提供することが記載されている。
【０００５】
特許文献１では、針員割当システムのサーバーは、複数の検針エリアと、各検針エリア内のガスメーターを検針する検針員とを対応付けて記憶する記憶装置と、顧客のガスメーターの設置場所を含む顧客情報を受け付ける受付部と、記憶装置の検針エリアを参照して顧客情報に含まれるガスメーターの設置場所に対応する検針エリアを決定する検針エリア決定部と、記憶装置の検針エリアと検針員との対応関係から、決定された検針エリア内の検針員を決定する検針員決定部と、決定された検針員に対し、検針情報を出力する出力部とを含んでいる。
【先行技術文献】
【特許文献】
【０００６】
【特許文献１】特開２０１６−３８６３１号公報
【発明の概要】
【発明が解決しようとする課題】
【０００７】
しかしながら、特許文献１では、検針エリアのみによって検針員を決定するようになっている。すなわち、ガスメーターの検針は、特別な対応は不要であり、指針を読み取るのが主たる業務であるため、例えば、修理依頼のように、特別の機器のため専門知識を有する必要があったり、予め特定された物件の場合に、担当エリアを逸脱するといった、イレギュラーの取り決めが存在しない。
【０００８】
このため、イレギュラーの場合（複数の条件が重なるような場合）の対応については記載はなく、示唆もされていない。
【０００９】
本発明は、業務を受け付けた場合に、業務を遂行する場所、対象機器の種類、及び業務を遂行する物件の少なくとも１つに適合し得る業務遂行担当者を、迅速かつ的確に分担させることができる業務遂行担当者割り振り管理制御装置、業務遂行担当者割り振り管理制御プログラムを得ることにある。
【課題を解決するための手段】
【００１０】
本発明に係る業務遂行担当者割り振り管理制御装置は、業務遂行を依頼する顧客が特定され、当該顧客が依頼する業務を遂行する業務遂行担当者を指定して、割り振るための業務遂行担当者割り振り管理制御装置であって、業務を遂行する管轄領域を示す位置情報、機器を特定する機器特定情報、及び物件を特定する物件特定情報の少なくとも１つの情報と、業務遂行担当者を示す担当者情報を対応させて格納したデータベースにアクセスすることで業務遂行担当者を選出する選出部と、前記選出部で選出した業務遂行担当者の中から、選択条件に基づいて、業務遂行担当者を確定する確定部と、前記確定部により確定したことを、前記業務遂行担当者へ通知する通知部と、を有している。
【００１１】
本発明において、前記データベースは、業務を遂行する管轄領域の位置情報と業務遂行担当者とを対応させて格納した第１データベース、機器を特定する機器特定情報と業務遂行担当者とを対応させて格納した第２データベース、及び、物件を特定する物件特定情報と業務遂行担当者とを対応させて格納した第３データベース、の少なくとも１つのデータベースを含むことを特徴としている。
【００１２】
本発明によれば、業務遂行を依頼する顧客が特定され、当該顧客が依頼する業務を遂行する業務遂行担当者を指定して、割り振る場合に、第１のデータベースから第３のデータベースの少なくとも一つにアクセスする。
【００１３】
第１のデータベースは、業務を遂行する管轄領域の位置情報と業務遂行担当者とを紐付けている。
【００１４】
第２のデータベースは、機器を特定する機器特定情報と業務遂行担当者とを紐付けている。
【００１５】
第３のデータベースは、物件を特定する物件特定情報と業務遂行担当者とを紐付けている。
【００１６】
業務遂行担当者は、第１のデータベースから第３のデータベースの少なくとも１つに基づいて割り振られるため、業務に適した人材を、迅速かつ的確に決めることができる。
【００１７】
確定条件とは、例えば、第１データベース、第２データベース、及び第３データベースの適用の組み合わせである。
【００１８】
すなわち、以下の確定条件が考え得る。
（１）第１データベースの条件に合う業務遂行担当者
（２）第２データベースの条件に合う業務遂行担当者
（３）第３データベースの条件に合う業務遂行担当者
（４）第１及び第２データベースの条件に合う業務遂行担当者
（５）第１及び第３データベースの条件に合う業務遂行担当者
（６）第２及び第３データベースの条件に合う業務遂行担当者
（７）第１〜第３データベースの条件に合う業務遂行担当者
【００１９】
本発明において、前記第１データベースの位置情報が、業務遂行現場の住所であり、前記確定部は、当該住所を管轄する業務遂行担当者を選出し、確定候補とすることを特徴としている。
【００２０】
例えば、複数の業務を遂行する場合、住所がわかれば、管轄する提携店が特定され、該当日の業務遂行担当者のスケジュール管理によって確定候補を選出することができる。
【００２１】
なお、複数の業務遂行現場を担当して、順次業務を遂行する場合、別途、一例として、順路最適化管理サーバーのルート最適化テーブルを用いることで、複数の業務遂行現場への訪問順ルートを最適化することも可能である。
【００２２】
本発明において、前記第１データベースの位置情報が、業務遂行現場の住所であり、前記確定部は、当該位置情報から所定の範囲内の業務遂行現場で、現在業務を遂行している業務遂行担当者を選出し、確定候補とすることを特徴としている。
【００２３】
位置情報で特定した位置を基準として、所定の範囲内で、現在進行形で業務を遂行している業務遂行担当者が存在する場合、当該業務遂行担当者を選出し、確定候補とすることで、作業効率を向上することができる。
【００２４】
なお、現在、所定の範囲内におらずとも、位置情報で特定位置を基準とした所定の範囲内の業務遂行現場へ、現在進行形で向かっており、結果的に、位置情報で特定した位置を基準として、所定の範囲内で、現在進行形で業務を遂行する予定の業務遂行担当者を選出し、確定候補とすることを含むものとする。
【００２５】
本発明において、前記第２データベースの機器特定情報として登録されている機器情報は、ガス温水システムを含み、専門の技術を必要とする機器識別情報であり、機器識別情報毎に定めた業務遂行担当者を選出し、確定候補とすることを特徴としている。
【００２６】
修理に関して専門の技術を必要とする機器が存在する。このため、機器特定情報により、的確な業務遂行担当者の割り振りを行うことができる。
【００２７】
本発明において、前記第３データベースの物件特定情報が、エリア毎に区画された管轄領域から逸脱して特別に契約された住宅識別情報であり、住宅識別情報毎に定められた業務遂行担当者を選出し、確定候補とすることを特徴としている。
【００２８】
例えば、業務遂行担当者を割り振る提携店は、担当エリアが決まっているのが一般的であるが、例外として、エリアから逸脱していたとしても、特別に当該提携店と契約する場合がある。例えば、集合住宅において、オーナーの居所が、当該提携店のエリアに存在するような場合である。
【００２９】
このため、物件特定情報に基づくことで、管轄領域から逸脱して特別に契約された住宅識別情報により、適正な業務遂行担当者を割り振ることができる。なお、オーナーは一例であり、ディベロッパー、設計事務所、施工事業者、施主等に置き換えてもよい。
【００３０】
本発明に係る業務遂行担当者割り振り管理制御プログラムは、コンピュータを、上記の業務遂行担当者割り振り管理制御装置の選出部、確定部、及び通知部として動作させることを特徴としている。
【発明の効果】
【００３１】
以上説明した如く本発明では、業務を受け付けた場合に、業務を遂行する場所、対象機器の種類、及び業務を遂行する物件の少なくとも１つに適合し得る業務遂行担当者を、迅速かつ的確に分担させることができるという効果を奏する。
【図面の簡単な説明】
【００３２】
【図１】本実施の形態に係る業務分担システムの概略図である。
【図２】第１データベースとしての位置情報ＤＢ、第２データベースとしての機器特定情報ＤＢ、及び第３データベースとしての物件情報ＤＢのそれぞれに格納されたテーブルの概念図である。
【図３】（Ａ）は本実施の形態に係る業務分担システムで業務を受け付けたとき、当該業務を業務遂行担当者に割り振るための制御フローチャート、（Ｂ）は図３（Ａ）のステップ６６の選択処理例を示す概略図である。
【図４】本発明の業務遂行担当者割り振り管理制御装置における、顧客の業務履歴情報の活用のみならず、修理等の業務受付から業務完了後の料金請求までの、一連の作業を実行するまでに必要十分なシステム図の実施例である。
【図５】本実施例のシステムでの作業フローの内、機器修理の受付のためのフローチャート（１／３）である。
【図６】本実施例のシステムでの作業フローの内、機器修理の受付のためのフローチャート（２／３）である。
【図７】本実施例のシステムでの作業フローの内、機器修理の受付のためのフローチャート（３／３）である。
【図８】本実施例のシステムでの作業フローの内、機器修理の現場作業のためのフローチャート（１／１１）である。
【図９】本実施例のシステムでの作業フローの内、機器修理の現場作業のためのフローチャート（２／１１）である。
【図１０】本実施例のシステムでの作業フローの内、機器修理の現場作業のためのフローチャート（３／１１）である。
【図１１】本実施例のシステムでの作業フローの内、機器修理の現場作業のためのフローチャート（４／１１）である。
【図１２】本実施例のシステムでの作業フローの内、機器修理の現場作業のためのフローチャート（５／１１）である。
【図１３】本実施例のシステムでの作業フローの内、機器修理の現場作業のためのフローチャート（６／１１）である。
【図１４】本実施例のシステムでの作業フローの内、機器修理の現場作業のためのフローチャート（７／１１）である。
【図１５】本実施例のシステムでの作業フローの内、機器修理の現場作業のためのフローチャート（８／１１）である。
【図１６】本実施例のシステムでの作業フローの内、機器修理の現場作業のためのフローチャート（９／１１）である。
【図１７】本実施例のシステムでの作業フローの内、機器修理の現場作業のためのフローチャート（１０／１１）である。
【図１８】本実施例のシステムでの作業フローの内、機器修理の現場作業のためのフローチャート（１１／１１）である。
【図１９】本実施例のシステムでの作業フローの内、機器修理の部品発注承認・取消のためのフローチャート（１／２）である。
【図２０】本実施例のシステムでの作業フローの内、機器修理の部品発注承認・取消のためのフローチャート（２／２）である。
【発明を実施するための形態】
【００３３】
図１は、本実施の形態に係る業務分担システム１０の概略図である。
【００３４】
業務分担システム１０は、例えば、ガス管理者側に設けられた業務支援管理サーバー８４と、提携店１４に設置された顧客対応端末装置１６とを備えている。顧客対応端末装置１６は、受付部１６Ａ及び業務分担部１６Ｂを備えている。
【００３５】
業務支援管理サーバー８４は、位置情報データベース８４ＤＢ（ａ）、機器特定情報データベース８４ＤＢ（ｂ）、物件情報データベース８４ＤＢ（ｃ）を管理する。
【００３６】
本実施の形態では、図２（Ａ）に示される如く、業務支援管理サーバー８４の第１データベースとしての位置情報データベース８４ＤＢ（ａ）から、業務遂行現場の住所と業務遂行担当者との関係が紐付けられた業務遂行現場の住所−業務遂行担当者相関テーブル８４Ｔ（ａ）（以下、第１相関テーブル８４Ｔ（ａ）という。）を読み出して利用する。
【００３７】
また、本実施の形態では、図２（Ｂ）に示される如く、業務支援管理サーバー８４の第２データベースとしての機器特定情報データベース８４ＤＢ（ｂ）から、専門技術を要する機器情報と業務遂行担当者との関係が紐付けられた機器情報-業務遂行担当者相関テーブル８４Ｔ（ｂ）（以下、第２相関テーブル８４Ｔ（ｂ）という。）を読み出して利用する。
【００３８】
さらに、本実施の形態では、図２（Ｃ）に示される如く、業務支援管理サーバー８４の第３データベースとしての物件情報データベース８４ＤＢ（ｃ）から、提携店１４が管轄するエリアから逸脱した業務遂行現場（特別エリア）と、業務遂行担当者との関係が紐付けられた特別エリア−業務遂行担当者相関テーブル８４Ｔ（ｃ）（以下、第３相関テーブル８４Ｔ（ｃ）という。）を読み出して利用する。
【００３９】
本実施の形態では、少なくとも１つのサーバーに格納された第１相関テーブル８４Ｔ（ａ）、第２相関テーブル８４Ｔ（ｂ）、及び第３相関テーブル８４Ｔ（ｃ）の組み合わせによって、業務遂行担当者を選出し、確定する。
【００４０】
相関テーブルの組み合わせとしては、以下の（１）〜（７）の７パターンが考え得る。
（１）第１相関テーブル８４Ｔ（ａ）
（２）第２相関テーブル８４Ｔ（ｂ）
（３）第３相関テーブル８４Ｔ（ｃ）
（４）第１相関テーブル８４Ｔ（ａ）及び第２相関テーブル８４Ｔ（ｂ）
（５）第１相関テーブル８４Ｔ（ａ）及び第３相関テーブル８４Ｔ（ｃ）
（６）第２相関テーブル８４Ｔ（ｂ）及び第３相関テーブル８４Ｔ（ｃ）
（７）第１相関テーブル８４Ｔ（ａ）、第２相関テーブル８４Ｔ（ｂ）及び第３相関テーブル８４Ｔ（ｃ）
【００４１】
図１に示される如く、業務支援管理サーバー８４と、顧客対応端末装置１６とは、ネットワーク２０を介して接続され、相互に情報の通信が可能となっている。
【００４２】
また、提携店１４には、前記顧客対応端末装置１６と同等の機能を有し、業務遂行担当者が業務遂行現場まで携帯することが可能な、通信携帯端末２２が具備されている。
【００４３】
通信携帯端末２２は、業務遂行現場を通信エリアとする無線通信基地２０Ａを介して、提携店１４の顧客対応端末装置１６と通信する他、直接、ガス管理者側（例えば、業務支援管理サーバー８４）へもアクセス可能となっている。
【００４４】
ここで、顧客２４は、例えば、顧客端末２６から、提携店１４に対して、ガス機器等の修理依頼を行うと、提携店１４では、当該修理依頼を受け付ける（受付部１６Ａ）。
【００４５】
なお、図１では、顧客端末２６として、スマートホンをイメージして図示しているが、携帯電話や固定電話等の他の通信機器であってもよい）。
【００４６】
また、顧客２４は、提携店１４に修理を依頼せず、直接ガス管理者側のお客様センター（図１では、図示省略）へ連絡してもよいし、顧客２４が所持するＰＣ（パーソナルコンピュータ、図示省略）を用いて、ネット通信で修理を依頼してもよい。
【００４７】
顧客２４から提携店１４へ修理依頼があり、これを受け付けると、顧客対応端末装置１６の業務分担部６Ｂでは、ネットワーク２０を介して業務支援管理サーバー８４へアクセスして、業務遂行担当者を選出する。
【００４８】
提携店１４では、顧客２４との対応において、受け付けた修理の業務遂行の日時等を決定し、業務遂行指示書として登録する。
【００４９】
業務遂行指示書は、選出した業務遂行担当者の中から確定した業務遂行担当者に割り当てられ、スケジュール管理がなされる。
【００５０】
以下に、本実施の形態の作業を、図３（Ａ）のフローチャートに従い説明する。
【００５１】
ステップ５０では、未分担業務が発生したか否かを判断する。このステップ５０で否定判定された場合は、このルーチンは終了する。また、ステップ５０で肯定判定された場合は、ステップ５２へ移行する。
【００５２】
ステップ５２では、分担方法を、一件ごとにするか、複数一括にするかを決定し、ステップ５４へ移行する。
【００５３】
ステップ５４では、業務支援管理サーバーで管理されている位置情報データベース８４ＤＢ（ａ）から第１相関テーブル８４Ｔ（ａ）読み出して、次いで、ステップ５６へ移行し、第１相関テーブル８４Ｔ（ａ）に基づいて、業務遂行担当者の候補を選出し、ステップ５８へ移行する。選出された業務遂行担当者は、図３（Ｂ）のＡ領域に分類される。
【００５４】
ステップ５８では、業務支援管理サーバーで管理されている機器特定情報データベース８４ＤＢ（ｂ）から第２相関テーブル８４Ｔ（ｂ）読み出して、次いで、ステップ６０へ移行し、第２相関テーブル８４Ｔ（ｂ）に基づいて、業務遂行担当者の候補を選出し、ステップ６２へ移行する。選出された業務遂行担当者は、図３（Ｂ）の領域Ｂに分類される。
【００５５】
ステップ６２では、業務支援管理サーバーで管理されている物件情報データベース８４ＤＢ（ｃ）から第３相関テーブル８４Ｔ（ｃ）読み出して、次いで、ステップ６４へ移行し、第３相関テーブル８４Ｔ（ｃ）に基づいて、業務遂行担当者の候補を選出し、ステップ６６へ移行する。選出された業務遂行担当者は、図３（Ｂ）の領域Ｃに分類される。また、２以上の相関テーブルに基づいて選出された業務遂行担当者は、領域Ａ＋Ｂ、領域Ａ＋Ｃ、領域Ｂ＋Ｃ、及び領域Ａ＋Ｂ＋Ｃに分類される。
【００５６】
ステップ６６では、各相関テーブルに基づいて選出された業務遂行担当者候補の中から業務遂行担当者を確定する処理を実行する。
【００５７】
次のステップ６８は、確定した業務遂行担当者に通知し、次いで、ステップ７０へ移行して、確定した業務遂行担当者は、複数の業務を持っているか否かを判断する。このステップ７０で否定判定された場合は、ステップ７６へ移行する。
【００５８】
また、ステップ７０で肯定判定された場合は、ステップ７２へ移行して業務遂行担当者の順路を最適化するか否かを判断する。このステップ７２で否定判定された場合は、ステップ７６へ移行する。
【００５９】
また、ステップ７２で肯定判定された場合は、ステップ７４へ移行して、図示しない順路最適化管理サーバーへアクセスし、順路を設定して、ステップ７６へ移行する。
【００６０】
ステップ７６では、順路を業務遂行担当者に通知して、このルーチンは終了する。
【００６１】
（ステップ６６の業務遂行担当者確定処理）
【００６２】
ここで、図３（Ａ）のステップ６６の業務遂行担当者確定処理は、例えば、図３（Ｂ）に示される如く、それぞれの相関テーブルに基づいて選出された業務遂行担当者をＡ、Ｂ及びＣの領域に分類し、確定条件を設定する（７パターン）。
【００６３】
一例として、第１相関テーブル８４Ｔ（ａ）と第２相関テーブル８４Ｔ（ｂ）に共通して選出された業務遂行担当者とする場合は、確定条件をＡ＋Ｂとすることで、Ａ＋Ｂの領域に分類された業務遂行担当者に割り振ることが確定する。
【００６４】
さらに、本発明に係る業務遂行担当者割り振り管理制御装置は、本実施の形態で説明した修理業務における業務に限定されるものではない。すなわち、本発明に係る業務遂行担当者割り振り管理制御装置は、修理に関する業務以外に、定期保安巡回に関する業務、開閉栓に関する業務、機器等の販売に関する販売等の、他の業務にも流用可能である。
【００６５】
以下、実施例として、本実施の形態の受付システムで修理業務を受け付けたときの情報収集が活用された修理業務の流れを説明する。本実施の形態の情報収集は、図５のステップ１０４Ａ、１０６Ａ、１１６Ａ、及び図６のステップ１６６Ａ〜１８２等の各ステップの作業において実行されるものである。
【実施例】
【００６６】
図４は、本発明の業務遂行担当者割り振り管理制御装置における、顧客の業務の割り振りの活用のみならず、修理等の業務受付から業務完了後の料金請求までの、一連の作業を実行するまでに必要十分なシステムの構築した実施例である。
【００６７】
なお、本実施の形態（図１参照）で説明した構成と重複する部分は、同一の符号を付すこととする。
【００６８】
図４に示される如く、ガス管理者８０側は、例えば、ＬＡＮ（ローカルエリアネットワーク）又はＷＡＮ（ワイドエリアネットワーク）等のイントラネット８２が構築されている。
【００６９】
イントラネット８２には、顧客管理サーバー１２、業務支援管理サーバー８４、在庫管理サーバー８６、順路最適化管理サーバー８８、お客様センター管理サーバー９０、及びインターネット等のネットワーク２０と接続するためのルーター９１を備えている。
【００７０】
なお、図４では、図示は省略したが、顧客管理サーバー１２、業務支援管理サーバー８４、在庫管理サーバー８６、順路最適化管理サーバー８８、及び、お客様センター管理サーバー９０には、それぞれの機能を実現するために必要な情報がデータベースに格納されており、イントラネット８２を介して、相互に情報のやりとりが可能となっている。
【００７１】
インターネット２０には、提携店１４に設置された顧客対応端末装置１６が接続されると共に、無線通信基地２０Ａを介して、業務遂行担当者がそれぞれ所持する通信端末装置２２がインターネット２０にアクセス可能となっている。
【００７２】
また、インターネット２０には、顧客所有のＰＣ９２が接続され、修理依頼等をインターネット２０を介して申し込むことができる。
【００７３】
また、顧客は、電話回線９４を用いて、顧客端末２６（例えば、電話）により顧客対応端末装置１６が設置された部署（提携店１４）、お客様センター管理サーバー９０が設置された部署（管理するお客様センター）、及び、業務支援管理サーバー８４が設置された部署へ修理依頼を申し込むことができる。
【００７４】
以下に、本実施例の作用を説明する。
【００７５】
まず、顧客から業務依頼（ここでは、修理業務を例にとる）があった場合に実行される、提携店１４に設置された顧客対応端末装置１６、業務遂行担当者が所持する通信端末装置２２、及びイントラネット８２に接続された何れかのサーバーとの間での業務受付に関する処理手順を示す。なお、作業フローには、制御プログラムによる処理と、担当者等の手作業による処理とが混在するが、以下の条件の下、三者を時系列に関連付けた作業フローとして説明する。
【００７６】
（条件１）  顧客対応端末装置１６（提携店１４に据置）での処理には、ステップ番号の末尾に符号「Ａ」を付す。
【００７７】
（条件２）  通信端末装置２２（業務遂行担当者携帯）での処理には、ステップ番号の末尾に符号「Ｂ」を付す。
【００７８】
（条件３）  イントラネット８２に接続された何れかのサーバーのデータベースへのアクセスでの処理には、ステップ番号の末尾に符号「Ｃ」を付す。
【００７９】
（条件４）  顧客からは、電話（携帯電話、スマホ、固定電話等）を用いた通話により業務依頼がある場合と、通信装置（ＰＣ、スマホ、タブレット型通信端末装置等）を用いた通信による業務依頼がある場合とがあるが、ここでは、総称して、「ＰＣ９２」での処理として、ＰＣ９２での処理には、ステップ番号の末尾に符号「Ｄ」を付す。なお、例外として、ステップ番号の末尾に符号「Ｄ」を付した処理の中には、顧客による簡易処置の実施が含まれるものとする（後述するステップ２０６Ｄ参照）。
【００８０】
『機器修理の受付』
【００８１】
図５〜図７は、本実施の形態に係る、『業務の受付』の際に、ＰＣ９２、顧客対応端末装置１６、業務遂行担当者が所持する通信端末装置２２、及び顧客管理サーバー１２の間で実行される作業フローである。
【００８２】
（図５作業フロー）
【００８３】
顧客から業務依頼（例えば、顧客からの申し出、電話等）があると（ステップ１００Ｄ）、イントラネット８２に接続された何れかのサーバーのデータベース（例えば、図４に示す、顧客管理サーバー１２の顧客固有情報データベース）へアクセスして（ステップ１０２Ｃ）、お客様を特定する（ステップ１０４Ａ）。
【００８４】
この特定の際、該当する顧客があるか否か（既に登録済か否か）を判断し（ステップ１０６Ａ）、否定判定の場合は、イントラネット８２に接続された何れかのサーバーのデータベースへアクセスして（ステップ１０８Ｃ）、お客様登録を実行する（ステップ１１０Ａ）。
【００８５】
一方、ステップ１０６Ａで肯定判定の場合は、イントラネット８２に接続された何れかのサーバーのデータベースへアクセスして（ステップ１１２Ｃ）、お客様情報を確認して（ステップ１１４Ａ）、ステップ１１６Ａへ移行する。ステップ１１６Ａには、ステップ１１０Ａでお客様登録が完了した場合にも移行し、お申し出業務の内容を確認する。
【００８６】
次に、業務内容が、特定の業務（ここでは、修理、コール点検とする）か否かを判断し（ステップ１１８Ａ）、否定判定の場合は、他業務の受付へ移行する（ステップ１２０Ａ）。
【００８７】
一方、ステップ１１８Ａで肯定判定の場合は、イントラネット８２に接続された何れかのサーバーのデータベースへアクセスして（ステップ１２２Ｃ）、過去の業務、接点履歴、予定案件の確認を行う（ステップ１２４Ａ）。
【００８８】
ステップ１２４Ａでの確認後、新規受付（ここでは、修理依頼）を実行し（ステップ１３０Ａ）、イントラネット８２に接続された何れかのサーバーのデータベースへアクセスして（ステップ１３２Ｃ）、顧客（お申し出者）の確認及び報告を行い（ステップ１３４Ａ）、処理継続点Ａ１に従い移行する（図６のステップ１６６Ａへ移行）。
【００８９】
（図６の作業フロー「処理継続点Ａ１以降の作業フロー」）
【００９０】
図６の作業フローは、図５のステップ１３４Ａからの継続となる。
【００９１】
まず、対象機器を確認し（ステップ１６６Ａ）、イントラネット８２に接続された何れかのサーバーのデータベースへアクセスして（ステップ１６８Ｃ）、お客様所有機器リストにより選択する（ステップ１７０Ａ）。ステップ１７０Ａにおいて、選択できた場合は（ステップ１７２Ａの肯定判定）、故障内容を確認する（ステップ１７４Ａ）。
【００９２】
選択できない場合は（ステップ１７２Ａの否定判定）、イントラネット８２に接続された何れかのサーバーのデータベース（例えば、図４に示す、業務支援管理サーバー８４で管理する機器マスターデータベース）へアクセスして（ステップ１７６Ｃ）、機器マスター一覧から選択する（ステップ１７８Ａ）。ステップ１７８Ａにおいて、選択できた場合は（ステップ１８０Ａの肯定判定）、故障内容を確認する（ステップ１７４Ａ）。
【００９３】
選択できない場合は（ステップ１８０Ａの否定判定）、イントラネット８２に接続された何れかのサーバーのデータベースへアクセスして（ステップ１８１Ｃ）、機器種別のみ選択し（ステップ１８２Ａ）、故障内容を確認する（ステップ１７４Ａ）。ステップ１７８Ａにおいて、選択できた場合は（ステップ１８０Ａの肯定判定）、故障内容を確認する（ステップ１７４Ａ）。
【００９４】
ステップ１７４Ａで故障内容を確認すると、イントラネット８２に接続された何れかのサーバーのデータベースへアクセスして（ステップ１８８Ｃ）、故障内容を報告する（ステップ１９０Ａ）。
【００９５】
故障内容の報告後、簡易処置方法がない場合は（ステップ１９２Ａの否定判定）、イントラネット８２に接続された何れかのサーバーのデータベースへアクセスして（ステップ１９４Ｃ）、作業業務箇所を確認し（ステップ１９６Ａ）、担当店の変更の要否を判断する（ステップ１９８Ａ）。
【００９６】
担当者の変更が必要ない場合は（ステップ１９８Ａの否定判定）、処理継続点Ｃ１に従い移行する（図７のステップ２１４Ａへ移行）。
【００９７】
また、担当者の変更が必要な場合は（ステップ１９８Ａの肯定判定）、イントラネット８２に接続された何れかのサーバーのデータベースへアクセスして（ステップ２００Ｃ）、作業業務箇所の変更を通知し（ステップ２０２Ａ）、処理継続点Ｃ１に従い移行する（図７のステップ２４０Ａへ移行）。
【００９８】
一方、ステップ１９０Ａで故障内容の報告後、簡易処置方法がある場合は（ステップ１９２Ａの肯定判定）、顧客に対して、簡易処置方法を説明し、実施を依頼することで（ステップ２０４Ａ）、顧客は、簡易処置を実施する（ステップ２０６Ｄ）。顧客は、簡易処置の実施により、トラブルが解消したか否かを顧客対応端末装置１６へ報告する。
【００９９】
トラブルが解消した場合は（ステップ２０８Ｄの肯定判定）、イントラネット８２に接続された何れかのサーバーのデータベースへアクセスして（ステップ２１０Ｃ）、電話対応完了報告を行い（ステップ２１２Ａ）、処理継続点Ｄ１に従い移行する（図７のステップ２６８Ａへ移行）。
【０１００】
また、顧客による簡易処置の実施で、トラブルが解消しない場合は（ステップ２０８Ｄの否定判定）、イントラネット８２に接続された何れかのサーバーのデータベースへアクセスして（ステップ１９４Ｃ）、作業業務箇所を確認し（ステップ１９６Ａ）、担当者の変更の要否を判断する（ステップ１９８Ａ）。
【０１０１】
担当者の変更が必要ない場合は、処理継続点Ｃ１に従い移行する（図７のステップ２４０Ａへ移行）。
【０１０２】
また、担当者の変更が必要な場合は（ステップ１９８Ａの肯定判定）、イントラネット８２に接続された何れかのサーバーのデータベースへアクセスして（ステップ２００Ｃ）、作業業務箇所の変更を通知し（ステップ２０２Ａ）、処理継続点Ｃ１に従い移行する（図７のステップ２４０Ａへ移行）。
【０１０３】
図７は、処理継続点Ｃ１を介して、図６のステップ１９８Ａから処理が移行され、まず、ステップ２４０Ａでは、イントラネット８２に接続された何れかのサーバーのデータベースへアクセスして（ステップ２４２Ｃ）、契約情報等のお客様情報を確認し、顧客に出張修理の了承を確認する（ステップ２４４Ａ）。顧客から了承が得られない場合は（ステップ２４６Ｄの否定判定）、当該作業での受け付けを完了する（ステップ２４８Ａ）。また、顧客から了承を得た場合は（ステップ２４６Ｄの肯定判定）、有償修理の可能性の有無を判断する（ステップ２５０Ａ）。
【０１０４】
有償修理の可能性がある場合は（ステップ２５０Ａの肯定判定）、請求先情報を確認し（ステップ２５２Ａ）、次いで、イントラネット８２に接続された何れかのサーバーのデータベースへアクセスして（ステップ２５４Ｃ）、請求先情報を報告して（ステップ２５６Ａ）、作業希望日時を確認する（ステップ２５８Ａ）。また、有償修理の可能性ない場合（ステップ２５０Ａの否定判定）は、ステップ２５８Ａへ移行して、作業希望日時を確認する。
【０１０５】
次に、ステップ２５８Ａでの作業希望日時確認の回答に際し、業務遂行担当者との調整の要否を判断する（ステップ２６０Ａ）。
【０１０６】
調整が必要な場合（ステップ２６０Ａの肯定判定）は、後ほど現場作業員から日時連絡することを顧客に説明し（ステップ２６２Ａ）、イントラネット８２に接続された何れかのサーバーのデータベースへアクセスして（ステップ２６４Ｃ）、作業予定日時を報告して（ステップ２６６Ａ）、ステップ２６８Ａへ移行する。
【０１０７】
一方、調整が不要（日時決定）な場合（ステップ２６０Ａの否定判定）は、作業予定日時を回答し（ステップ２７０Ａ）、次いで、イントラネット８２に接続された何れかのサーバーのデータベースへアクセスして（ステップ２７２Ｃ）、作業定日時を報告し（ステップ２７４Ａ）、ステップ２６８Ａへ移行する。なお、このステップ２６８Ａには、処理継続点Ｄ１を介して、図６のステップ２１２Ａからの移行もある。
【０１０８】
ステップ２６８Ａでは、他業務の受け付けの有無を判断する。他業務の受け付けがない場合は（ステップ２６８Ａの否定判定）、受け付けを完了し（ステップ２７６Ａ）、他業務の受け付けがある場合は（ステップ２６８Ａの肯定判定）、処理継続点Ｅ１に従い移行する（図５ステップ１１６Ａへ移行）。
【０１０９】
『機器修理の現場作業』
【０１１０】
図８〜図１８は、本実施の形態に係る、『業務遂行現場対応』の際に、ＰＣ９２、顧客対応端末装置１６、業務遂行担当者が所持する通信端末装置２２、及び顧客管理サーバー１２の間で実行される作業フローである。なお、業務遂行現場対応は、基本的に、業務遂行担当者が所持する通信端末装置２２と、顧客管理サーバー１２とのやりとりが主体となる。
【０１１１】
（図８の作業フロー）
【０１１２】
業務遂行担当者は、通信端末装置２２を所持しており（ステップ４００Ａ）、まず、訪問先の顧客が在宅か否かを判断する（ステップ４０２Ａ）。
【０１１３】
不在の場合は（ステップ４０２Ａの否定判定）、事務所に連絡して不在票Ｐ１を発行し（ステップ４０４Ａ及びステップ４０６Ａ）、イントラネット８２に接続された何れかのサーバーのデータベースへアクセスして（ステップ４０８Ｃ）、不在状況の報告を実行し（ステップ４１０Ａ）、処理継続点Ｑ２に従い移行する（後述する図１７のステップ７７８Ａへ移行）。
【０１１４】
一方、在宅の場合（ステップ４０２Ａの肯定判定）、又は、処理継続点Ｓ２を介して、後述する図１５のステップ６８２Ａから処理が移行された場合、イントラネット８２に接続された何れかのサーバーのデータベースへアクセスして（ステップ４１２Ｃ）、作業開始報告を実行する（ステップ４１４Ａ）。
【０１１５】
次いで、イントラネット８２に接続された何れかのサーバーのデータベースへアクセスして（ステップ４１６Ｃ）、修理対象機器情報を確認し（ステップ４１８Ａ）、顧客に対して問診を行う（ステップ４２０Ａ）。
【０１１６】
問診後は、イントラネット８２に接続された何れかのサーバーのデータベースへアクセスして（ステップ４２２Ｃ）、対象機器を確認し（ステップ４２３Ａ）、確認の結果、機器が特定されない（未特定）、又は特定違いか否かを判断する（ステップ４２４Ａ）。
【０１１７】
機器が特定されない（未特定）、又は特定違いであった場合（ステップ４２４Ａで肯定判定）、イントラネット８２に接続された何れかのサーバーのデータベースへアクセスして（ステップ４２６Ｃ）、機器を再特定し（ステップ４２８Ａ）、機器の登録の要否を判断する（ステップ４３０Ａ）。
【０１１８】
機器の登録が必要な場合（ステップ４３０Ａの肯定判定）は、所有機器管理小分類の名称へ変更し（ステップ４３２Ａ）、機器の登録が不要な場合（ステップ４３０Ａの否定判定）は何もせず、イントラネット８２に接続された何れかのサーバーのデータベースへアクセスして（ステップ４３４Ｃ）、製造番号・製造年月の確認及び報告を実行する（ステップ４３６Ａ）。
【０１１９】
また、機器が特定された場合（ステップ４２４Ａの否定判定）においても、ステップ４３６Ａへ移行して、イントラネット８２に接続された何れかのサーバーのデータベースへアクセスして（ステップ４３４Ｃ）、製造番号・製造年月の確認及び報告を実行する。
【０１２０】
次に、業務遂行担当者は、イントラネット８２に接続された何れかのサーバーのデータベースへアクセスして（ステップ４３８Ｃ）、故障診断を実行する（ステップ４４０Ａ）。故障診断後、技術情報の確認の要否を判断する（ステップ４４２Ａ）。
【０１２１】
技術情報が必要な場合は、イントラネット８２に接続された何れかのサーバーのデータベースへアクセスして（ステップ４４４Ｃ）、修理統計情報の確認（ステップ４４６Ａ）、機器情報サービスの確認（ステップ４４８Ａ）、及び「テクガイ情報（テクニカルガイド情報）」の確認（ステップ４５０Ａ）を行うと共に、イントラネット８２に接続された何れかのサーバーのデータベース（例えば、図４に示す業務支援管理サーバー８４で管理する特定メンテナンスツール供給データベース）へアクセスして（ステップ４５２Ｃ）、特定メンテナンスツールを取得し（ステップ４５４Ａ）、処理継続点Ｂ２に従い移行する（後述する図９のステップ４５８Ａへ移行）。
【０１２２】
また、技術情報が不要な場合（ステップ４４２Ａの否定判定）は、処理継続点Ｂ２に従い移行する（後述する図９のステップ４５８Ａへ移行）。
【０１２３】
（図９の作業フロー）
【０１２４】
図９は、処理継続点Ｂ２を介して、図８のステップ４４２Ａ又はステップ４５６Ａから処理が移行され、まず、有償修理か否かを判断する（ステップ４５８Ａ）。無償修理の場合は（ステップ４５８Ａの否定判定）、別処理となり、処理継続点Ｒ２に従い移行する（後述する図１１のステップ５５４Ａへ移行）。
【０１２５】
有償処理の場合（ステップ４５８Ａの肯定判定）、イントラネット８２に接続された何れかのサーバーのデータベースへアクセスして（ステップ４６０Ｃ）、請求先（異名義情報の確認）を取得して（ステップ４６２Ａ）、顧客へ請求先（異名義）の確認を行い（ステップ４６４Ａ）、請求先情報に変更がある場合（ステップ４６６Ａの肯定判定）は、イントラネット８２に接続された何れかのサーバーのデータベースへアクセスして（ステップ４６８Ｃ）、請求先情報を登録し（ステップ４７０Ａ）、ステップ４７２Ａへ移行する。
【０１２６】
また、請求先情報に変更がない場合（ステップ４６４Ａの否定判定）は、ステップ４７２Ａへ移行する。
【０１２７】
ステップ４７２Ａでは、見積もりの必要性の確認を行い、要否の判定を委ねる（ステップ４７４Ｄ）。
【０１２８】
見積もりが不要な場合（ステップ４７４Ｄの否定判定）は、別処理となり、処理継続点Ｒ２に従い移行する（後述する図１１のステップ５５４Ａへ移行）。
【０１２９】
一方、見積もりが必要な場合（ステップ４７４Ｄの肯定判定）は、技術情報の確認が必要か否かを判断する（ステップ４７６Ａ）。このステップ４７６Ａには、処理継続点Ｆ２を介して、後述する図１０のステップ５２８Ａから処理が移行される。
【０１３０】
ステップ４７６Ａで技術情報の確認が必要であると判断した場合は、イントラネット８２に接続された何れかのサーバーのデータベースへアクセスして（ステップ４７８Ｃ）、特別指示の仮指定を実行し（ステップ４８０Ａ）、ステップ４８２Ａへ移行する。ステップ４７６Ａで技術情報の確認が必要ではないと判断した場合は、ステップ４８２Ａへ移行する。
【０１３１】
ステップ４８２Ａでは、イントラネット８２に接続された何れかのサーバーのデータベースへアクセスして（ステップ４８４Ｃ）、診断内容を仮報告し、次いで、イントラネット８２に接続された何れかのサーバーのデータベースへアクセスして（ステップ４８６Ｃ）、保証自動判定を実施し（ステップ４８８Ａ）、処理継続点Ｄ２に従い移行する（図１０のステップ５０８Ａへ移行）。
【０１３２】
（図１０の作業フロー）
【０１３３】
図１０は、処理継続点Ｄ２を介して、図９のステップ４９０Ａ又は５０４Ａから処理が移行され、まず、イントラネット８２に接続された何れかのサーバーのデータベースへアクセスして（ステップ５０６Ｃ）、種類ランク自動判定を実行し（ステップ５０８Ａ）、次いで、ランク入力修正の要否を判断する（ステップ５１０Ａ）。
【０１３４】
ステップ５１０Ａで必要と判定された場合は、イントラネット８２に接続された何れかのサーバーのデータベースへアクセスして（ステップ５１２Ｃ）、修理ランクを手入力し、訂正し（ステップ５１４Ａ）、ステップ５１６Ａへ移行する、
【０１３５】
また、ステップ５１０Ａで不要と判定された場合は、ステップ５１６Ａへ移行する。
【０１３６】
ステップ５１６Ａでは、部品使用の要否を判断する。ステップ５１６Ａで必要と判定された場合は、イントラネット８２に接続された何れかのサーバーのデータベースへアクセスして（ステップ５１８Ｃ）、使用部品を報告する（ステップ５２０Ａ）。
【０１３７】
次いで、ステップ５２２Ａで部品金額に変更があると判断された場合は、イントラネット８２に接続された何れかのサーバーのデータベースへアクセスして（ステップ５２４Ｃ）、部品金額の変更を通知し（ステップ５２６Ａ）、ステップ５２８Ａへ移行する。
【０１３８】
また、ステップ５２２Ａにおいて部品金額に変更がないと判断された場合は、ステップ５２８Ａへ移行する。
【０１３９】
ステップ５２８Ａでは、他作業の有無を判断し、他作業が有る場合は、処理継続点Ｆ２に従い移行する（前述した図９のステップ４７６Ａへ移行）。また、他作業の無い場合は、ステップ５３０Ａへ移行する。
【０１４０】
ステップ５３０Ａでは、割増報告の有無を判断し、割増報告が有る場合（ステップ５３０Ａの肯定判定）は、イントラネット８２に接続された何れかのサーバーのデータベースへアクセスして（ステップ５３２Ｃ）、割増報告を実行し（ステップ５３４Ａ）、イントラネット８２に接続された何れかのサーバーのデータベースへアクセスして（ステップ５３６Ｃ）、修理費を自動計算して通知し（ステップ５３８Ａ）、処理継続点Ｅ２に従い移行する（後述する図１１のステップ５４２Ａへ移行）。
【０１４１】
また、割増報告が無い場合（ステップ５３０Ａの否定判定）は、イントラネット８２に接続された何れかのサーバーのデータベースへアクセスして（ステップ５３６Ｃ）、修理費を自動計算して通知し、処理継続点Ｅ２に従い移行する（後述する図１１のステップ５４２Ａへ移行）。
【０１４２】
（図１１の作業フロー）
【０１４３】
図１１は、処理継続点Ｅ２を介して、図１０のステップ５３８Ａから処理が移行され、まず、イントラネット８２に接続された何れかのサーバーのデータベースへアクセスして（ステップ５４０Ｃ）、修理費見積書の発行を通知し（ステップ５４２Ａ）、次いで、顧客に対して修理費の説明を実行する（ステップ５４４Ａ）。
【０１４４】
顧客は、例えば、見積書Ｐ２を見ながら修理費を確認し（ステップ５４６Ｄ）、作業着手を了承するか否かを判断する（ステップ５４８Ｄ）。
【０１４５】
ステップ５４８Ｄにおいて、作業着手を了承しない場合（ステップ５４８Ｄの否定判定）は、イントラネット８２に接続された何れかのサーバーのデータベースへアクセスして（ステップ５５０Ｃ）、修理作業拒否報告を実施し（ステップ５５２Ａ）、処理継続点Ｑ２に従い移行する（後述する図１７のステップ７７８Ａへ移行）。
【０１４６】
また、ステップ５４８Ｄにおいて、作業着手を了承した場合（ステップ５４８Ｄの肯定判定）は、部品使用の有無を判断する（ステップ５５４Ａ）。なお、ステップ５５４Ａには、処理継続点Ｒ２を介して、前述した図９のステップ４５８Ａ又はステップ４７４Ｄから移行する場合がある。
【０１４７】
ステップ５５４Ａ以降の作業手順は以下の手順１〜手順４に分類される。
【０１４８】
（手順１）  ステップ５５４Ａにおいて、部品使用有りと判定され、部品保有が無く、部品当日調達が不可の場合（ステップ５５４Ａの肯定判定→ステップ５５６Ａの否定判定→ステップ５５８Ａの否定判定）、イントラネット８２に接続された何れかのサーバーのデータベースへアクセスして（ステップ５６０Ｃ）、部品を発注し（ステップ５６２Ａ）、イントラネット８２に接続された何れかのサーバーのデータベースへアクセスして（ステップ５６４Ｃ）、部品納入日を確認し（ステップ５６６Ａ）、顧客に対して、部品納品後の修理となることを説明し（ステップ５６８Ａ）、処理継続点Ａ２に従い移行する（後述する図１８のステップ７８６Ａへ移行）。
【０１４９】
（手順２）
【０１５０】
ステップ５５４Ａにおいて、部品使用有りと判定され、部品保有が無く、部品当日調達が可能な場合（ステップ５５４Ａの肯定判定→ステップ５５６Ａの否定判定→ステップ５５８Ａの肯定判定）、顧客に対して、部品を本日中に手配する旨を説明し（ステップ５７０Ａ）、修理作業を実行すると共に（ステップ５７２Ａ）、ステップ５７４Ａにおいて、作業が半成と判定された場合は、処理継続点Ａ２に従い移行し（後述する図１８のステップ７８６Ａへ移行）、ステップ５７４Ａにおいて作業が完了と判定された場合は、処理継続点Ｈ２に従い移行する（後述する図１２のステップ５７８Ａへ移行）。
【０１５１】
（手順３）
【０１５２】
ステップ５５４Ａにおいて、部品使用有りと判定され、部品保有有りと判定された場合（ステップ５５４Ａの肯定判定→ステップ５５６Ａの肯定判定）、修理作業を実行すると共に（ステップ５７２Ａ）、ステップ５７４Ａにおいて作業が半成と判定された場合は、処理継続点Ａ２に従い移行し（後述する図１８のステップ７８６Ａへ移行）、ステップ５７４Ａにおいて作業が完了と判定された場合は、処理継続点Ｈ２に従い移行する（後述する図１２のステップ５７８Ａへ移行）。
【０１５３】
（手順４）
【０１５４】
ステップ５５４Ａにおいて、部品使用無しと判定された場合（ステップ５５４Ａの否定判定）、修理作業を実行すると共に（ステップ５７２Ａ）、ステップ５７４Ａにおいて作業が半成と判定された場合は、処理継続点Ａ２に従い移行し（後述する図１８のステップ７８６Ａへ移行）、ステップ５７４Ａにおいて作業が完了と判定された場合は、処理継続点Ｈ２に従い移行する（後述する図１２のステップ５７８Ａへ移行）。
【０１５５】
（図１２の作業フロー）
【０１５６】
図１２は、処理継続点Ｈ２を介して、図１１のステップ５７４Ａから処理が移行され、まず、イントラネット８２に接続された何れかのサーバーのデータベースへアクセスして（ステップ５７６Ｃ）、作業完了状況を報告し（ステップ５７８Ａ）、次いで、イントラネット８２に接続された何れかのサーバーのデータベースへアクセスして（ステップ５８０Ｃ）、ＣＯ測定器の結果を報告し（ステップ５８２Ａ）、次いで、イントラネット８２に接続された何れかのサーバーのデータベースへアクセスして（ステップ５８４Ｃ）、漏洩検査実施の報告し（ステップ５８６Ａ）、ステップ５８８Ａへ移行する。ステップ５８８Ａには、処理継続点Ｌ２を介して、後述する図１４のステップ６６２Ａから移行する場合がある。
【０１５７】
ステップ５８８Ａは、仮登録と同じか否かを判断する。同じ場合（ステップ５８８Ａの肯定判定）、補充部品の発注の有無を判断し（ステップ５９０Ａ）、発注有り（ステップ５９０Ａの肯定判定）の場合は、イントラネット８２に接続された何れかのサーバーのデータベースへアクセスして（ステップ５９２Ｃ）、補充部品を発注し（ステップ５９４Ａ）、処理継続点Ｍ２に従い移行する（後述する図１５のステップ６７６Ａ）。また、発注無し（ステップ５９０Ａの否定判定）の場合は、処理継続点Ｍ２に従い移行する（後述する図１５のステップ６７６Ａ）。
【０１５８】
一方、ステップ５８８Ａで否定判定（仮登録と異なると判定）された場合は、特別指示作業か否かを判断する（ステップ５９６Ａ）。
【０１５９】
ステップ５９６Ａで特別指示作業であると判定（肯定判定）された場合は、イントラネット８２に接続された何れかのサーバーのデータベースへアクセスして（ステップ５９８Ｃ）、特別指示選択を報告し（ステップ６００Ａ）、ステップ６０２Ａへ移行する。ステップ５９６Ａで特別指示作業ではないと判定（否定判定）された場合は、ステップ６０２Ａへ移行する。
【０１６０】
ステップ６０２Ａでは、イントラネット８２に接続された何れかのサーバーのデータベースへアクセスして（ステップ６０４Ｃ）、作業内容を報告し、次いで、イントラネット８２に接続された何れかのサーバーのデータベースへアクセスして（ステップ６０６Ｃ）、保証自動判定を実行し（ステップ６０８Ａ）、処理継続点Ｊ２に従い移行する（後述する図１３のステップ６１０Ａ）。
【０１６１】
（図１３の作業フロー）
【０１６２】
図１３は、処理継続点Ｊ２を介して、図１２のステップ６０８Ａから処理が移行され、まず、保証自動判定の結果（図１２のステップ６０８Ａ）において、判定不能又は変更必要か否かを判断する（ステップ６１０Ａ）。
【０１６３】
ステップ６１０Ａで、判定が可能であり、変更の必要がないと判断された場合は（ステップ６１０Ａの否定判定）、ステップ６１２Ａへ移行する。
【０１６４】
また、ステップ６１０Ａで判定不能又は変更必要と判断された場合（ステップ６１０Ａの肯定判定）は、ステップ６１４Ａ、ステップ６１６Ａ、ステップ６１８Ａ、ステップ６２０Ａ、及びステップ６２２Ａにおいて、以下の処理を実行し、ステップ６１２Ａへ移行する。すなわち、ステップ１４Ａ、ステップ６１６Ａ、ステップ６１８Ａ、ステップ６２０Ａ、及びステップ６２２Ａは、修理ランクを判定できない場合において、既存情報が正しくない可能性があるために行う処理である。
【０１６５】
・ステップ６１４Ａ→修理点検履歴確認（修理点検履歴で、修理点検済みか否かを確認する。）
・ステップ６１６Ａ→システム・所有機器情報確認（所有機器情報が間違っていないか確認する。）
・ステップ６１８Ａ→その他情報確認
・ステップ６２０Ａ→保証請求先判断（保証請求先が間違っていないかを確認する。）
・ステップ６２２Ａ→保証自動判定結果訂正（ステップ６２０Ａでの判断結果に基づき、自動判定結果そのものを訂正する必要がある場合に訂正を行う。）
【０１６６】
ステップ６１０Ａの否定判定、又はステップ６２２Ａから移行するステップ６１２Ａでは、イントラネット８２に接続された何れかのサーバーのデータベースへアクセスして（ステップ６３４Ｃ）、修理ランクを自動判定し、ランク入力・修正が必要か否かを判断する（ステップ６３６Ａ）。
【０１６７】
ステップ６３６Ａにおいて、ランク入力・修理が必要と判定された場合は、イントラネット８２に接続された何れかのサーバーのデータベースへアクセスして（ステップ６３８Ｃ）、修理ランクを手入力で訂正し（ステップ６４０Ａ）、処理継続点Ｋ２に従い移行する（後述する図１４のステップ６４２Ａ）。
【０１６８】
また、ステップ６３０Ａにおいて、ランク入力・修理が不要と判定（否定判定）された場合は、処理継続点Ｋ２に従い移行する（後述する図１４のステップ６４２Ａ）。
【０１６９】
（図１４の作業フロー）
【０１７０】
図１４は、処理継続点Ｋ２を介して、図１３のステップ６３６Ａ又は６４０Ａから処理が移行され、まず、業務遂行（修理）に際し、部品を使用したか否か（ステップ６４２Ａ）、及び、部品情報を参照したか否かを判断する（ステップ６４４Ａ）。
【０１７１】
部品不使用（ステップ６４２Ａの否定判定）の場合は、ステップ６６２Ａへ移行する。
【０１７２】
部品使用（ステップ６４２Ａの肯定判定）、かつ部品情報参照しない場合（ステップ６４４Ａの否定判定）は、ステップ６４６Ａへ移行する。
【０１７３】
部品使用（ステップ６４２Ａの肯定判定）、かつ部品情報参照する場合（ステップ６４４Ａの肯定判定）は、イントラネット８２に接続された何れかのサーバーのデータベースへアクセスして（ステップ６４８Ｃ）、部品展開図を参照すると共に（ステップ６５０Ａ）、共通部品を参照し（ステップ６５２Ａ）、ステップ６４６Ａへ移行する。なお、ステップ６５０Ａ及びステップ６５２Ａを総称し、参照ステップ６５４Ａとする。
【０１７４】
ステップ６４６Ａでは、イントラネット８２に接続された何れかのサーバーのデータベースへアクセスして（ステップ６４９Ｃ）、使用部品を報告し、ステップ６５０Ａへ移行する。
【０１７５】
ステップ６５０Ａでは補充部品を発注したか否かを判断し、ステップ６５０Ａで肯定判定の場合は、イントラネット８２に接続された何れかのサーバーのデータベースへアクセスして（ステップ６５２Ｃ）、補充部品発注を通知し（ステップ６５４Ａ）、ステップ６５６Ａへ移行する。ステップ６５０Ａで否定判定の場合は、ステップ６５６Ａへ移行する。
【０１７６】
ステップ６５６Ａでは、部品金額の変更の要否を判断し、ステップ６５６Ａで肯定判定（必要）の場合は、イントラネット８２に接続された何れかのサーバーのデータベースへアクセスして（ステップ６５８Ｃ）、部品金額変更を通知し（ステップ６６０Ａ）、ステップ６６２Ａへ移行する。ステップ６５６Ａで否定判定（不要）の場合は、ステップ６６２Ａへ移行する。
【０１７７】
ステップ６６２Ａでは、他作業の有無を判断し、肯定判定（他作業有り）の場合は、処理継続点Ｌ２に従い移行する（前述した図１２のステップ５８８Ａへ移行）。
【０１７８】
ステップ６６２Ａで否定判定（他作業無し）の場合は、割増し設定の要否を判断する（ステップ６６４Ａ）。
【０１７９】
ステップ６６４Ａで肯定判定（割増し設定必要）の場合は、イントラネット８２に接続された何れかのサーバーのデータベースへアクセスして（ステップ６６６Ｃ）、割増し設定を通知し（ステップ６６８Ａ）、ステップ６７０Ａへ移行する。
【０１８０】
ステップ６６４Ａで否定判定（割増し設定不要）の場合は、ステップ６７０Ａへ移行する。
【０１８１】
ステップ６７０Ａでは、イントラネット８２に接続された何れかのサーバーのデータベースへアクセスして（ステップ６７２Ｃ）、修理費を計算し、処理継続点Ｍ２に従い移行する（後述する図１５のステップ６７６Ａへ移行）。
【０１８２】
（図１５の作業フロー）
【０１８３】
図１５は、処理継続点Ｍ２を介して、図１２のステップ５９０Ａ，ステップ５９４Ａ、又は、図１４のステップ６７０Ａから処理が移行され、まず、イントラネット８２に接続された何れかのサーバーのデータベースへアクセスして（ステップ６７４Ｃ）、請求先別金額を確認し（ステップ６７６Ａ）、次いで、イントラネット８２に接続された何れかのサーバーのデータベースへアクセスして（ステップ６７８Ｃ）、修理結果のお知らせを発行し（ステップ６８０Ａ）、ステップ６８２Ａへ移行する。
【０１８４】
ステップ６８２Ａでは、同一の顧客（お客さま）で他件名の有無を判断する。ステップ６８２Ａで肯定判定された場合は、処理継続点Ｓ２に従い移行する（前述した図８のステップ４１４Ａへ移行）。また、ステップ６８２Ａで否定判定された場合は、顧客に対して修理結果を説明する（ステップ６８４Ａ）。
【０１８５】
次のステップ６８６Ｄでは、修理結果のお知らせＰ３を見ながら、顧客が作業結果を確認する。次に、承諾取得を依頼すると（ステップ６８８Ａ）、顧客はサイン了承するか否かを判断する（ステップ６９０Ｄ）。このステップ６９０Ｄで肯定判定された場合は、顧客はサインし（ステップ６９２Ｄ）、イントラネット８２に接続された何れかのサーバーのデータベースへアクセスして（ステップ６９４Ｃ）、サインが通知され、ステップ７０４Ａへ移行する。
【０１８６】
また、ステップ６９０Ｄでサインを了承しない場合は（ステップ６９０Ｄの否定判定）、印鑑了承するか否かを判断する（ステップ６９６Ｄ）。
【０１８７】
ステップ６９６Ｄで肯定判定された場合は、顧客に修理結果のお知らせに押印してもらい（ステップ６９８Ｄ）、ステップ７００Ａへ移行する。また、ステップ６９６Ｄで否定判定された場合は、ステップ７００Ａへ移行する。
【０１８８】
ステップ７００Ａでは、イントラネット８２に接続された何れかのサーバーのデータベースへアクセスして（ステップ７０２Ｃ）、サイン未取得理由を報告し、処理継続点Ｏ２に従い移行する（後述する図１７のステップ７７８Ａへ移行）。
【０１８９】
ステップ７０４Ａでは、顧客（お客さま）への請求の有無を判断し、ある場合（ステップ７０４Ａの肯定判定）は請求先が異名義か否かを判断する（ステップ７０６Ａ）。
【０１９０】
ステップ７０４Ａで否定判定（顧客（お客さま）への請求無し）、又はステップ７０６Ａで肯定判定（請求先が異名義である）の場合は、処理継続点Ｏ２に従い移行する（後述する図１７のステップ７７８Ａへ移行）。
【０１９１】
また、ステップ７０４Ａで肯定判定（顧客（お客さま）への請求有り）、かつ、ステップ７０６Ａで否定判定（請求先が異名義ではない）の場合は、処理継続点Ｎ２に従い移行する（後述する図１６のステップ７０８Ａへ移行）。
【０１９２】
（図１６の作業フロー）
【０１９３】
図１６は、処理継続点Ｎ２を介して、図１５のステップ７０６Ａから処理が移行され、まず、顧客に対して請求金額を説明し（ステップ７０８Ａ）、次いで、値引きの有無を判断する（ステップ７１０Ａ）。
【０１９４】
ステップ７１０Ａで肯定判定（値引き有り）された場合は、イントラネット８２に接続された何れかのサーバーのデータベースへアクセスして（ステップ７１２Ｃ）、値引き金額を報告し（ステップ７１４Ａ）、ステップ７１６Ａへ移行する。ステップ７１０Ａで否定判定（値引き無し）された場合は、ステップ７１６Ａへ移行する。
【０１９５】
ステップ７１６Ａでは、イントラネット８２に接続された何れかのサーバーのデータベースへアクセスして（ステップ７１８Ｃ）、支払い方法を確認し、次いで、請求書の発行要否を判断する（ステップ７２０Ａ）。
【０１９６】
ステップ７２０Ａで肯定判定（請求書発行必要）された場合は、イントラネット８２に接続された何れかのサーバーのデータベースへアクセスして（ステップ７２２Ｃ）、請求書Ｐ４及び明細書Ｐ５を発行し（ステップ７２４Ａ）、ステップ７２６Ａへ移行する。また、ステップ７２０Ａで否定判定（請求書発行不要）された場合は、ステップ７２６Ａへ移行する。
【０１９７】
ステップ７２６Ａでは、イントラネット８２に接続された何れかのサーバーのデータベースへアクセスして（ステップ７２８Ｃ）、支払い方法を報告し、次いで、支払い方法によって処理を振り分ける（ステップ７３０Ａ）。
【０１９８】
（支払い方法が現金の場合）
【０１９９】
ステップ７３０Ａからステップ７３２Ａへ移行して当日集金か後日集金かを判断する。ステップ７３２Ａで当日集金と判定された場合は、顧客（お客さま）にお支払いをしていただき（ステップ７３４Ｄ）、イントラネット８２に接続された何れかのサーバーのデータベースへアクセスして（ステップ７３６Ｃ）、集金情報を報告し（ステップ７３８Ａ）、次いで、イントラネット８２に接続された何れかのサーバーのデータベースへアクセスして（ステップ７４０Ｃ）、領収書Ｐ６を発行し（ステップ７４２Ａ）、ステップ７４６Ａへ移行して、明細書が発行済か否かを判断する。
【０２００】
ステップ７４６Ａにおいて、明細書発行済の場合は、処理継続点Ｏ２に従い移行する（後述する図１７のステップ７７８Ａへ移行）。また、明細書発行未済の場合は、イントラネット８２に接続された何れかのサーバーのデータベースへアクセスして（ステップ７４８Ｃ）、明細書Ｐ７を発行し（ステップ７５０Ａ）、処理継続点Ｏ２に従い移行する（後述する図１７のステップ７７８Ａへ移行）。
【０２０１】
一方、ステップ７３２Ａにおいて、後日集金と判定された場合は、処理継続点Ｏ２に従い移行する（後述する図１７のステップ７７８Ａへ移行）。
【０２０２】
（支払い方法がクレジットカードの場合）
【０２０３】
ステップ７３０Ａからステップ７５２Ａへ移行してカード決済を行い、イントラネット８２に接続された何れかのサーバーのデータベースへアクセスして（ステップ７５４Ｃ）、カード決済番号を報告して（ステップ７５６Ａ）、処理継続点Ｏ２に従い移行する（後述する図１７のステップ７７８Ａへ移行）。
【０２０４】
（支払い方法が銀行振込の場合）
【０２０５】
ステップ７３０Ａからステップ７５８Ａへ移行して振込先を説明し、処理継続点Ｏ２に従い移行する（後述する図１７のステップ７７８Ａへ移行）。
【０２０６】
（図１７の作業フロー）
【０２０７】
図１７は、処理継続点Ｏ２を介して、図１５のステップ７０４Ａ又はステップ７０６Ａ、或いは、図１６のステップ７４６Ａ、ステップ７５０Ａ、ステップ７３２Ａ、ステップ７５６Ａ、又はステップ７５８Ａから処理が移行され、まず、ステップ７７８Ａにおいて、作業終了報告を実行し、現場作業を完了する（ステップ７８２Ａ）。なお、ステップ７７８Ａには、図８のステップ４１０Ａ、図１１のステップ５５２Ａ、又は図１８の処理継続点Ｑ２を介して移行する場合がある。
【０２０８】
（図１８の作業フロー）
【０２０９】
図１８は、処理継続点Ａ２を介して、図１１のステップ５６８Ａ又はステップ５７４Ａから処理が移行され、まず、イントラネット８２に接続された何れかのサーバーのデータベースへアクセスして（ステップ７８４Ｃ）、作業未完了理由を報告し（ステップ７８６Ａ）、次いで、ステップ７８８Ａへ移行して次回希望日を確認し、顧客に対して希望日回答を委ねる（ステップ７９０Ｄ）。
【０２１０】
次のステップ７９２Ａでは、イントラネット８２に接続された何れかのサーバーのデータベースへアクセスして（ステップ７９４Ｃ）、希望日分担状況を確認し、ステップ７９６Ａにおいて、作業予定日が確定したか否かを判断する。
【０２１１】
ステップ７９６Ａで肯定判定（作業予定日確定）された場合は、次回作業予定日を確認し（ステップ７９８Ａ）、ステップ８００へ移行する。ステップ７９６で否定判定（作業予定日未確定）された場合は、作業日を追って連絡することを説明し（ステップ８０２Ａ）、ステップ８００Ａへ移行する。
【０２１２】
ステップ８００Ａでは、イントラネット８２に接続された何れかのサーバーのデータベースへアクセスして（ステップ８０４Ｃ）、次回の作業予定日を報告し、次いで、イントラネット８２に接続された何れかのサーバーのデータベースへアクセスして（ステップ８０６Ｃ）、半成メモを報告して（ステップ８０８Ａ）、処理継続点Ｑ２に従い移行する（前述した図１７のステップ７７８Ａへ移行）。
【０２１３】
『機器修理の部品発注承認・取消』
【０２１４】
図１９及び図２０は、本実施の形態に係る、『業務の分担（部品発注の承認・取消）』の際に、顧客対応端末装置１６、業務遂行担当者が所持する通信端末装置２２、及び顧客管理サーバー１２の間で実行される作業フローである。
【０２１５】
（図１９の作業フロー）
【０２１６】
図１９は、現場での発注依頼報告に関する作業フローである。
【０２１７】
まず、イントラネット８２に接続された何れかのサーバーのデータベースへアクセスして（ステップ８１０Ｃ）、発注願の一覧を確認し（ステップ８１２Ａ）、次いで、イントラネット８２に接続された何れかのサーバーのデータベースへアクセスして（ステップ８１４Ｃ）、発注願がなされている部品を選択し（ステップ８１６Ａ）、在庫を確認する（ステップ８１８Ａ）。
【０２１８】
次のステップ８２０Ａでは、イントラネット８２に接続された何れかのサーバーのデータベース（例えば、在庫管理サーバー８６で管理する在庫管理データベース）にアクセスして（ステップ８２２Ａ）、入荷予定部品の確認を行う。ステップ８２０Ａの入荷予定部品の確認後は、イントラネット８２に接続された何れかのサーバーのデータベースへアクセスして（ステップ８２４Ｃ）、関連する作業件名を確認し（ステップ８２６Ａ）、ステップ８２８Ａへ移行する。
【０２１９】
ステップ８２８Ａでは、発注承認の判断を行い、ステップ８３０Ａへ移行して承認の有無を判断する。
【０２２０】
ステップ８３０Ａで肯定判定（承認有り）された場合は、ステップ８３２Ａで、発注数量の変更の有無を判断する。
【０２２１】
ステップ８３２Ａで発注数量の変更が必要と判定された場合は、ステップ８３４Ａで発注数量を変更し、ステップ８３６Ａへ移行する。また、ステップ８３２Ａで発注数量の変更は不要と判定された場合は、ステップ８３６Ａへ移行する。
【０２２２】
ステップ８３６Ａでは、イントラネット８２に接続された何れかのサーバーのデータベースへアクセスして（ステップ８３８Ｃ）、承認を報告し、次いで、イントラネット８２に接続された何れかのサーバーのデータベースへアクセスして（ステップ８４０Ｃ）、発注書Ｐ８を発行し（ステップ８４２Ａ）、発注完了とする（ステップ８４４Ａ）。
【０２２３】
一方、ステップ８３０Ａで否定判定（非承認）された場合は、イントラネット８２に接続された何れかのサーバーのデータベースへアクセスして（ステップ８４６Ｃ）、作業件名に部品発注非承認を報告し（ステップ８４８Ａ）、次いで、担当者に連絡し（ステップ８５０Ａ）、承認終了とする（ステップ８５２Ａ）。
【０２２４】
（図２０の作業フロー）
【０２２５】
図２０は、部品発注取消しの必要性に関する作業フローである。
【０２２６】
まず、取り消し対象部品情報を確認し（ステップ８５４Ａ）、イントラネット８２に接続された何れかのサーバーのデータベースへアクセスして（ステップ８５６Ｃ）、発注承認実施状況を確認し（ステップ８５８Ａ）、ステップ８６０Ａへ移行して、顧客管理サーバー１２で承認済か承認未済かを判断する。
【０２２７】
ステップ８６０Ａで承認済と判定された場合は、在庫管理データベース８６ＤＢへアクセスして（ステップ８６２Ｃ）、発注状況を確認し（ステップ８６４Ａ）、取り消しの可否を判断する（ステップ８６６Ａ）。ステップ８６６Ａで取り消し可能と判定された場合は、在庫管理データベース８６ＤＢへアクセスして（ステップ８６８Ｃ）、取り消しの報告を行い（ステップ８７０Ａ）、発注取り消し完了とする（ステップ８７２Ａ）。また、ステップ８６６Ａで取り消し不可能と判定された場合は、発注取り消し不能とする（ステップ８７４Ａ）。
【０２２８】
一方、ステップ８６０Ａで承認未済と判定された場合は、イントラネット８２に接続された何れかのサーバーのデータベースへアクセスして（ステップ８７６Ｃ）、非承認を報告し（ステップ８７８Ａ）、発注取り消し完了とする（ステップ８７２Ａ）。
【符号の説明】
【０２２９】
１０    受付システム
１４    提携店
１６    顧客対応端末装置
１６Ａ    受付部
１６Ｂ    業務分担部
２０    ネットワーク
２２    通信携帯端末
２０Ａ    無線通信基地
２４    顧客
２６    顧客端末
８４    業務支援管理サーバー
８４ＤＢ（ａ）    位置情報データベース（第１データベース）
８４ＤＢ（ｂ）    機器特定情報データベース（第２データベース）
８４ＤＢ（ｃ）    物件情報データベース（第３データベース）
（実施例）
８０    ガス管理者
８２    イントラネットワーク
８６    在庫管理サーバー
８８    順路最適化管理サーバー
９０    お客様センター管理サーバー
９１    ルーター
９２    ＰＣ（顧客所有）
９４    電話回線
【図１】
2020190804.tif 000003
【図２】
2020190804.tif 000004
【図３】
2020190804.tif 000005
【図４】
2020190804.tif 000006
【図５】
2020190804.tif 000007
【図６】
2020190804.tif 000008
【図７】
2020190804.tif 000009
【図８】
2020190804.tif 000010
【図９】
2020190804.tif 000011
【図１０】
2020190804.tif 000012
【図１１】
2020190804.tif 000013
【図１２】
2020190804.tif 000014
【図１３】
2020190804.tif 000015
【図１４】
2020190804.tif 000016
【図１５】
2020190804.tif 000017
【図１６】
2020190804.tif 000018
【図１７】
2020190804.tif 000019
【図１８】
2020190804.tif 000020
【図１９】
2020190804.tif 000021
【図２０】
2020190804.tif 000022